(57)【要約】【課題】着替えや用便行為に伴う一連の動作を行い易くした目隠し用コートを提供する。【解決手段】目隠し用コート１００は、コート本体１０１を備えている。コート本体１０１は、身体を覆う樹脂シート製の筒状体であり、強遮蔽部１１０と弱遮蔽部１２０とで構成されている。強遮蔽部１１０は、使用者Ｕの腹部から膝下部分までを覆う部分であり、外部から身体が視認できない程度の遮光性を有した樹脂シート材で構成されている。弱遮蔽部１２０は、使用者Ｕの胸部から肩部までを覆う部分であり、強遮蔽部１１０よりも光を透過させる樹脂シート材で構成されている。この弱遮蔽部１２０は、使用者Ｕがコート本体１０１を装着した際にコート本体１０１の内側を視認することができる大きさに形成された頭部側開口部１２１を備えている。また、この頭部開口部１２１を形成するコート本体１０１の縁部１２２は、周囲の部分より硬質に構成されている。【選択図】  図１
2014065982.tif 000002
【特許請求の範囲】
【請求項１】
人が着替えや用便を行う際に身体に装着して胴部を覆うことにより目隠しとして用いる目隠し用コートであって、
人の肩部から少なくとも臀部までの長さに対応する長さの筒状に形成されて身体に装着されるコート本体を備え、
前記コート本体は、
人の頭部側に開口する頭部側開口部が、前記コート本体を身体に装着した状態において同コート本体の内側を視認可能な程度に開口する大きさに形成されていることを特徴とする目隠し用コート。
【請求項２】
請求項１に記載した目隠し用コートにおいて、
前記コート本体は、
前記頭部開口部を形成する縁部が同縁部の周囲を構成する部分よりも高い剛性で形成されていることを特徴とする目隠し用コート。
【請求項３】
請求項１または請求項２に記載した目隠し用コートにおいて、
前記コート本体は、
前記縁部が縫合によって剛性が高められていることを特徴とする目隠し用コート。
【請求項４】
請求項１ないし請求項３のうちのいずれか１つに記載した目隠し用コートにおいて、
前記コート本体は、
少なくとも人の腰回りを覆う部分が光を遮蔽する材料で構成された強遮蔽部と、
前記強遮蔽部よりも光を透過させる材料によって同強遮蔽部より上側に形成された弱遮蔽部とを有していることを特徴とする目隠し用コート。
【請求項５】
請求項１および請求項４のうちのいずれか１つに記載した目隠し用コートにおいて、
前記コート本体は、
人の前面を覆う部分が人の側面を覆う部分よりも長い丈で形成されていることを特徴とする目隠し用コート。
【請求項６】
請求項１および請求項５のうちのいずれか１つに記載した目隠し用コートにおいて、
前記コート本体は、
内側面に内ポケットを備えていることを特徴とする目隠し用コート。
【発明の詳細な説明】
【技術分野】
【０００１】
本発明は、人が屋外などの人目が気になる場所で着替えや用便を行う際に身体に装着して胴部を覆うことにより目隠しとして用いる目隠し用コートに関する。
【背景技術】
【０００２】
従来から、屋外などの人目が気になる場所で着替えや用便を行う場合に身体を隠すための道具として目隠し用コートが知られている。目隠し用コートは、柔軟なシート材を身体の胴部を覆うことができる大きさおよび形状に形成して構成されている。例えば、下記特許文献１には、使用者の首部に巻きつけて装着することにより首部より下の身体全体を覆う円錐状の目隠し用コートが開示されている。
【先行技術文献】
【特許文献】
【０００３】
【特許文献１】実用新案登録第３０１６８９５号公報
【０００４】
しかしながら、上記特許文献１に記載された目隠し用コートにおいては、目隠し用コートが使用者の首部に周囲に密着した状態で装着されて胴部を覆っているため、使用者が目隠し用コートの内側の衣服や身体の状態を把握することができず、用便行為に伴う一連の動作が行ない難いという問題があった。
【発明の概要】
【０００５】
本発明は上記問題に対処するためなされたもので、着替えや用便行為に伴う一連の動作を行い易くした目隠し用コートを提供することにある。
【０００６】
上記目的を達成するため、本発明の特徴は、人が着替えや用便を行う際に身体に装着して胴部を覆うことにより目隠しとして用いる目隠し用コートであって、人の肩部から少なくとも臀部までの長さに対応する長さの筒状に形成されて身体に装着されるコート本体を備え、コート本体は、人の頭部側に開口する頭部側開口部が、コート本体を身体に装着した状態において同コート本体の内側を視認可能な程度に開口する大きさに形成されていることにある。
【０００７】
このように構成した本発明の特徴によれば、目隠し用コートは、使用者の胴部を覆うコート本体における頭部側の頭部側開口部がコート本体の内側を視認可能な程度に開口する大きさに形成されているため、使用者がコート本体を装着した状態でコート本体の内側を視認することができる。これにより、目隠し用コートは、使用者によるコート本体内での作業、例えば、着替えや用便行為に伴う一連の動作を行い易くすることができる。
【０００８】
また、本発明の他の特徴は、前記目隠し用コートにおいて、コート本体は、頭部開口部を形成する縁部が同縁部の周囲を構成する部分よりも高い剛性で形成されていることにある。
【０００９】
この場合、目隠し用コートにおけるコート本体は、例えば、縁部を縫合することによって剛性を高めることができる。また、目隠し用コートは、例えば、コート本体を構成する材料よりも剛性が高い材料、撓み変形し難い材料または硬質の材料を縁部に貼り付け、縫合または包み込むなどして設けることによって剛性を高めることができる。
【００１０】
このように構成した本発明の他の特徴によれば、目隠し用コートは、コート本体において頭部側開口部を形成する縁部の剛性が高められているため、頭部側開口部が開口し易くなるとともに、使用者の動きや風などの外力を受けた場合であっても開口状態が潰れることを抑制して効果的に開口状態を維持することができる。
【００１１】
また、本発明の他の特徴は、前記目隠し用コートにおいて、コート本体は、少なくとも人の腰回りを覆う部分が光を遮蔽する材料で構成された強遮蔽部と、強遮蔽部よりも光を透過させる材料によって同強遮蔽部より上側に形成された弱遮蔽部とを有していることにある。
【００１２】
このように構成した本発明の他の特徴によれば、目隠し用コートは、コート本体が少なくとも人の腰回りを覆う部分が光を遮蔽する材料で構成された強遮蔽部と、強遮蔽部よりに光を透過させる材料によって同強遮蔽部より上側に形成された弱遮蔽部とを有して構成されているため、使用者の腰回り部分を効果的に隠しながらコート本体内に弱遮蔽部から光を導くことにより強遮蔽部の内側領域の視認性を高めることができる。このように、コート本体を強遮蔽部と弱遮蔽部とで構成することは、コート本体に使用者の頭部を覆うフードを設けた場合に特に有用である。
【００１３】
また、本発明の他の特徴は、前記目隠し用コートにおいて、コート本体は、人の前面を覆う部分が人の側面を覆う部分よりも長い丈で形成されていることにある。
【００１４】
このように構成した本発明の他の特徴によれば、目隠し用コートは、コート本体における使用者の前面を覆う部分が使用者の側面を覆う部分よりも長く形成されているため、使用者が着座した場合においても使用者の側面を覆うコート本体の裾が地面に接触して汚損することを防止しつつ使用者の前面の露出を防いで同使用者の前側にコート本体による内部空間を余裕を持って確保することができコート本体内での作業性を向上させることができる。
【００１５】
また、本発明の他の特徴は、前記目隠し用コートにおいて、コート本体は、内側面に内ポケットを備えていることにある。
【００１６】
このように構成した本発明の他の特徴によれば、目隠し用コートは、コート本体の内側面に内ポケットを備えているため、目隠し用コートの使用時においてコート本体内で予め必要な物や同コート本体で生じた物を外部に露出させることなく収容することができる。
【図面の簡単な説明】
【００１７】
【図１】本発明に係る目隠し用コートの外観構成の概略を示す正面図である。
【図２】図１に示す目隠し用コートの外観構成の概略を示す背面図である。
【図３】図１に示す目隠し用コートの外観構成の概略を示す平面図である。
【図４】図１に示す目隠し用コートの使用状態の一例を示す斜視図である。
【発明を実施するための形態】
【００１８】
（目隠し用コート１００の構成）
以下、本発明に係る目隠し用コートの一実施形態について図面を参照しながら説明する。図１は、本発明に係る目隠し用コート１００の外観構成の概略を示す正面図である。また、図２は、図１に示す目隠し用コート１００の外観構成の概略を示す背面図である。また、図３は、図１に示す目隠し用コート１００の外観構成の概略を示す平面図である。また、図４は、図１に示す目隠し用コート１００の使用状態の一例を示す斜視図である。なお、本明細書において参照する各図は、本発明の理解を容易にするために一部の構成要素を誇張して表わすなど模式的に表している。このため、各図面間および各構成要素間の寸法や比率などは異なっていることがある。この目隠し用コート１００は、屋外、公共施設内または車内など周囲の人目が気になる場所での用便時に身体を覆って目隠しとして使用するための外套である。
【００１９】
この目隠し用コート１００は、コート本体１０１を備えている。コート本体１０１は、目隠し用コート１００の使用者Ｕの身体が外部から見えないように身体を覆うための部材であり、樹脂製のシート材を筒状に形成して構成されている。より具体的には、コート本体１０１は、使用者Ｕに装着された際に使用者Ｕの頭部側から足部側に向かって内部空間が広がる錐状に形成されるとともに、使用者Ｕの前面側および背面側において対称な形状に形成されている。このコート本体１０１は、主として、強遮蔽部１１０と弱遮蔽部１２０とで構成されている。
【００２０】
これらのうち、強遮蔽部１１０は、使用者Ｕの主として腹部から膝下部分までを覆う部分であり、使用者Ｕの身体を覆った際に外部から使用者Ｕの身体自体およびその影が視認できない程度の遮光性を有したシート状の樹脂材（例えば、ポリエチレン樹脂やポリエステル樹脂など）によって構成されている。本実施形態においては、強遮蔽部１１０は、青色の樹脂製シートによって構成されている。
【００２１】
この強遮蔽部１１０は、使用者Ｕの身体に装着された際に使用者Ｕの前面および背面を覆う部分の丈が使用者Ｕの両側面を覆う部分の丈よりも長くなるように形成されている。この場合、強遮蔽部１１０は、使用者Ｕの身体に装着されて着座した際に使用者Ｕの両側面を覆う部分が床面との間に隙間が生じる丈に形成されている。また、強遮蔽部１１０は、使用者Ｕの身体に装着された際に使用者Ｕの両側面を覆う部分に襠（マチ）１１１が形成されており、使用者Ｕの前後方向に広がるように形成されている。なお、図１および図２においては、襠１１１を破線で示している。
【００２２】
一方、強遮蔽部１１０の内側面には、内ポケット１１２が形成されている。内ポケット１１２は、使用者Ｕが目隠し用コート１００を着用して使用する際に必要な物品を収容するための収容部である。この内ポケット１１２は、使用者Ｕの身体に装着された際に使用者Ｕの前面を覆う部分、換言すれば、コート本体１０１の左右方向における中央部に使用者Ｕの両手に向かってそれぞれ開口した形状に形成されている。そして、この強遮蔽部１１０における図示上端部には、弱遮蔽部１２０が縫合により連結されている。
【００２３】
弱遮蔽部１２０は、使用者Ｕの主として胸部から肩部までを覆う部分であり、強遮蔽部１１０よりも光を透過させるシート状の樹脂材料で構成されている。本実施形態においては、弱遮蔽部１２０は、黒色の樹脂材（例えば、ポリオレフィン樹脂材など）で構成された網目状の繊維を規則的に重ね合わせて接合させた不織布（例えば、製品名「ワリフ」（ＪＸ日鉱日石エネルギー株式会社の登録商標）で構成されている。また、本実施形態においては、弱遮蔽部１２０は、複数の不織布を重ねることにより使用者Ｕの身体を覆った際に外部から使用者Ｕの身体自体が視認できない程度の遮光性を有している。
【００２４】
この弱遮蔽部１２０は、コート本体１０１における両側部から中心部に向かって図示下方に斜めに延びるＶ字状に形成されているとともに、図示上方に向かって開口した頭部側開口部１２１を備えている。頭部側開口部１２１は、使用者Ｕの頭部を通すとともに使用者Ｕがコート本体１０１を装着した際にコート本体１０１の内側を視認するための開口部分であり、弱遮蔽部１２０の上端部から図示下方中央部に向かって斜めに延びるＶ字状に形成されている。
【００２５】
この場合、頭部側開口部１２１の大きさは、コート本体１０１を使用者Ｕの身体に装着した状態において同コート本体１０１の内側を視認可能な程度の大きさに形成されている。本実施形態においては、頭部側開口部１２１は、使用者Ｕがコート本体１０１を装着した状態において、使用者Ｕの身体の前方に少なくとも直径１００ｍｍの円形の開口領域が確保される大きさに形成されている。なお、図３においては、理解を容易にするため、頭部側開口部１２１が少し開口した状態を示している。
【００２６】
また、この頭部開口部１２１の形成する弱遮蔽部１２０の縁部１２２は、弱遮蔽部１２０を構成する２枚の樹脂シートを互いに縫合して構成されている。そして、この弱遮蔽部１２０の上端部には、フード１３０が設けられている。フード１３０は、コート本体１０１を装着した使用者Ｕの頭部を覆うためのものであり、弱遮蔽部１２０の上端部に縫合されて同上端部から背面側に下垂して設けられている。このフード１３０は、使用者Ｕの頭部を覆った際に外部から使用者Ｕの頭部自体が視認できない程度の遮光性を有した樹脂材（例えば、ポリエチレン樹脂やポリエステル樹脂など）によって構成されている。本実施形態においては、フード１３０は、強遮蔽部１１０と同じ青色の樹脂製シートで構成されている。
【００２７】
（目隠し用コート１００の作動）
次に、上記のように構成した目隠し用コート１００の作動について説明する。この目隠し用コート１００は、例えば、屋外で使用される簡易トイレ９０での用便時に使用される。この場合、簡易トレイ９０は、ダンボール材などの紙材や樹脂製の板材を単体でまたはこれらを組み合わせた部材を互いに組付けることによって箱状に構成したレジャー用または災害などの非常時用の洋式便器である。したがって、使用者Ｕは、まず、簡易トイレ９０とともに目隠し用コート１００を用意する。この場合、目隠し用コート１００は、樹脂製シート材によって構成されているため、折り畳まれた状態で保管されている。
【００２８】
次に、使用者Ｕは、簡易トイレ９０を組み立てて使用可能な状態とした後、目隠し用コート１００を着用する。具体的には、使用者Ｕは、折り畳まれた状態の目隠し用コート１００（図示せず）を広げてコート本体１０１の裾側である強遮蔽部１１０の下端部の開口部からコート本体１０１を被った後、頭部側開口部１２１から頭部を出す。この場合、使用者Ｕは、内ポケット１１２が身体の前面側に位置するようにコート本体１０１を着る。これにより、使用者Ｕは、コート本体１０１における頭部側開口部１２１の両側方に形成された弱遮蔽部１２０の上端部が使用者Ｕの肩部に掛かった状態で目隠し用コート１００を着用することができる。
【００２９】
次に、使用者Ｕは、目隠し用コート１００を着用した状態で簡易トイレ９０を使用して用便に移る。具体的には、使用者Ｕは、図４に示すように、目隠し用コート１００を着用した状態で下半身の衣服を脱いで簡易トイレ９０に着座する。この場合、使用者Ｕは、コート本体１０１における頭部側開口部１２１がコート本体１０１内を視認可能な程度の大きさに形成されているため、コート本体１０１内の状況を確認しながら用便における一連の作業を円滑に行うことができる。また、この場合、目隠し用コート１００は、コート本体１０１における頭部側開口部１２１を形成する縁部１２２が縫合によって同縁部１２２の周囲を構成する部分よりも剛性が高く形成されているため、頭部開口部１２１が開口し易くなって使用者Ｕによるコート本体１０１内の視認を行い易くすることができる。更に、目隠し用コート１００は、コート本体１０１の上部側が光透過性を有する弱遮蔽部１２０によって構成されているため、コート本体１０１内に光を導いて使用者Ｕによるコート本体１０１内の視認性を向上させることができる。
【００３０】
また、使用者Ｕは、用便行為の過程において、コート本体１０１の内側に形成されている内ポケット１１２を適宜使用することができる。この場合、使用者Ｕは、用便行為に直接的または間接的に必要な物または生じる物（例えば、紙、下着、生理用品、袋、ゴミなど）の他に、用便行為に直接的に必要のない物（例えば、懐中電灯、携帯電話、筆記用具、ペットボトル飲料など）を内ポケット１１２に収容することができる。なお、図４においては、目隠し用シート１００によって覆われて隠される部分を二点鎖線で示している。
【００３１】
また、使用者Ｕは、内ポケット１１２内に何らかの重量物（例えば、ペットボトル飲料）を収容することにより、コート本体１０１が不意に捲れ上がることを防止することができる。すなわち、内ポケット１１２は、小物入れとして機能させることに加えてまたは代えてウエイト収容部として機能させることができる。また、使用者Ｕは、内ポケット１１２内に何らかの発熱体（例えば、懐炉）または吸熱体（例えば、保冷剤や氷など）を収容することにより、コート本体１０１内を加温や保温または冷却や保冷をすることができる。すなわち、内ポケット１１２は、小物入れとして機能させることに加えてまたは代えて温度調節体収容部として機能させることができる。
【００３２】
また、使用者Ｕは、目隠し用コート１００を使用する過程において必要に応じてフード１３０を頭部に被せて使用することができる。この場合、目隠し用コート１００は、コート本体１０１に設けた弱遮蔽部１２０によってコート本体１０１内に光を導くことができるため、フード１３０の使用によるコート本体１０１内の明るさの低下を抑制することができる。
【００３３】
次に、使用者Ｕは、用便を済ませた場合には、目隠し用コート１００を脱衣するとともに次回の使用に備えて目隠し用コート１００を畳んで保管することができる。この場合、使用者Ｕは、頭部をコート本体１０１における頭部開口部１２１に通した後、コート本体１０１における下端部から頭部を抜くことによって目隠し用コート１００を脱ぐことができる。なお、この目隠し用コート１００の着衣時および脱衣時においても、コート本体１０１における縁部１２２の剛性が高められていることにより頭部用開口部１２１が開口状態を維持するため、コート本体１０１の着衣および脱衣が容易となっている。
【００３４】
上記作動説明からも理解できるように、上記実施形態によれば、目隠し用コート１００は、使用者Ｕの胴部を覆うコート本体１０１における頭部側の頭部側開口部１２１がコート本体１０１の内側を視認可能な程度に開口する大きさに形成されているため、使用者Ｕがコート本体１０１を装着した状態でコート本体１０１の内側を視認することができる。これにより、目隠し用コート１０１は、使用者Ｕによるコート本体１０１内での作業、例えば、着替えや用便行為に伴う一連の動作を行い易くすることができる。
【００３５】
さらに、本発明の実施にあたっては、上記実施形態に限定されるものではなく、本発明の目的を逸脱しない限りにおいて種々の変更が可能である。
【００３６】
例えば、上記実施形態においては、目隠し用コート１００は、コート本体１０１を筒状の所謂ポンチョ型に形成して構成されている。しかし、目隠し用コート１００は、コート本体１０１を前開きの所謂マント型に形成して構成することができるとともにコート本体１０１の両側部に使用者Ｕの両腕をそれぞれ通すためのスリーブを設けて構成することもできる。なお、目隠し用コート１００は、コート本体１０１を前開きで構成した場合には、コート本体１０１における前開き部分を面ファスナな歯を噛み合わせて開閉するファスナで構成することができる。
【００３７】
また、上記実施形態においては、目隠し用コート１００は、コート本体１０１において頭部開口部１２１を形成する縁部１２２を縫合して構成した。これにより、目隠し用コート１００は、コート本体１０１における縁部１２２が縁部１２２の周囲を構成する部分よりも剛性が高まって頭部側開口部１２１の開口状態を維持し易くなる。しかし、目隠し用コート１００は、コート本体１０１における縁部１２２が縁部１２２の周囲を構成する部分よりも剛性を高めることができれば、換言すれば、撓み難くい構成とすれば縫合以外の方法を用いて構成することができる。例えば、目隠し用コート１００は、コート本体１０１における縁部１２２に縁部１２２を構成する素材よりも剛性が高い材料、例えば、樹脂プレートやワイヤーを貼り付け、縫合または包み込むことによって取り付けて構成することができる。なお、目隠し用コート１００は、コート本体１０１の頭部側開口部１２１を積極的に開口状態とする必要がない場合には、縁部１２２を縁部１２２の周囲を構成する部分よりも剛性を高く構成する必要はない。
【００３８】
また、上記実施形態においては、目隠し用コート１００は、コート本体１０１が強遮蔽部１１０と弱遮蔽部１２０とで構成されている。これにより、目隠し用コート１００は、使用者Ｕの身体における見られては困る領域を隠しながらコート本体１０１内の視認性を確保することができる。この場合、コート本体１０１を構成する強遮蔽部１１０は、コート本体１０１において少なくとも使用者Ｕの腰回りを覆う部分であって外部から使用者Ｕの身体や身体の影を視認できない程度に光を遮蔽する材料で構成される。また、弱遮蔽部１２０は、強遮蔽部１１０よりも光を透過させる材料によって同強遮蔽部１１０より上側に形成される。したがって、弱遮蔽部１２０は、使用者Ｕの腹部または胸部よりも上側を覆うように構成することができる。さらに、弱遮蔽部１２０は、使用者Ｕの前面または背面にのみ構成することもできる。なお、目隠し用コート１００は、コート本体１０１内に積極的に光を導く必要がない場合には、コート本体１０１を強遮蔽部１１０のみで構成することもできる。
【００３９】
また、上記実施形態においては、目隠し用コート１００は、コート本体１０１における前面部および背面部の丈を側面部の丈よりも長く形成した。これにより、目隠し用コート１００は、使用者Ｕが着座した際における使用者Ｕの前面部および背面部をそれぞれ余裕を持って覆いながら、使用者Ｕの側面部でのコート本体１０１の地面への接触を防止してコート本体１０１の汚損を防止できるとともにコート本体１０１内への採光性および通風性を高めることができる。しかし、目隠し用コート１００は、コート本体１０１における前面部および背面部の丈と側面部の丈とを互いに同じ長さに形成して構成できることは当然である。
【００４０】
また、上記実施形態においては、目隠し用コート１００は、コート本体１０１の側面部に襠１１１を設けて構成した。これにより、目隠し用コート１００は、コート本体１０１の周囲に延び代が確保されて使用者Ｕによる着衣作業、脱衣作業およびコート本体１０１内での作業性を向上させることができる。しかし、目隠し用コート１００は、コート本体１０１の側面部に代えてまたは加えて例えば、コート本体１０１における前面部または背面部に襠１１１を設けることができるとともに襠１１１を設けることなく構成できることは当然である。
【００４１】
また、上記実施形態においては、頭部側開口部１２１は、コート本体１０１の前面部および背面部における各上端部をＶ字状に切り欠いた所謂Ｖネック状に形成した。しかし、頭部側開口部１２１は、使用者Ｕの頭部を通すことができるとともに使用者Ｕが着用した状態でコート本体１０１の内側を視認することができる大きさに形成されていれば、上記実施形態に限定されるものではない。したがって、例えば、頭部側開口部１２１は、コート本体１０１の前面部および／または背面部における各上端部を円弧状に切り欠いた所謂丸首状に形成することもできる。これらの場合、頭部側開口部１２１の大きさは、使用者Ｕがコート本体１０１を装着した状態において、使用者Ｕの身体の前方に直径１００ｍｍ以上かつ２００ｍｍ以内の範囲の円形の開口領域が確保される大きさに形成されることが好適である。
【００４２】
また、上記実施形態においては、目隠し用コート１００は、コート本体１０１を樹脂シート材で構成した。しかし、コート本体１０１は、使用者Ｕが脱ぎ着でき、コート本体１０１内の身体を隠すことができる材料で構成されていれば、上記実施形態に限定されることはない。例えば、コート本体１０１は、樹脂材に代えてまたは加えて紙材や布材を単体でまたはこれらを組み合わせて構成することができる。この場合、コート本体１０１は、網目状（メッシュ状）の生地で構成することにより、光透過性に加えて通気性を確保することができる。また、コート本体１０１の表面に撥水剤や防汚剤などを塗布することによって目隠し用コート１００の雨天での使用を確保できるとともに汚れの付着を防止して付着した汚れを容易に除去することができる。
【００４３】
また、上記実施形態においては、目隠し用コート１００は、コート本体１０１の前面側の内側面に内ポケット１１２を設けて構成した。しかし、この内ポケット１１２は、必要性に応じて設けられるものであり、省略することも可能である。また、内ポケット１１２の形状、数および形成位置についても必要性に応じて適宜決定されるものであり、必ずしも上記実施形態に限定されるものはない。例えば、内ポケット１１２は、コート本体１０１の前面側の内側面に代えてまたは加えてコート本体１０１の背面側の内側面に設けることもできる。この場合、使用者Ｕは、コート本体１０１の背面側の内側面に設けた内ポケット１１２に懐炉などの発熱体を収容することにより、目隠し用コート１００の使用時において使用者Ｕの背面（肩、背、腰など）を温めることができる。なお。目隠し用コート１００は、内ポケット１１２に代えてまたは加えてコート本体１０１の外表面に物品を収容可能な外ポケットを設けて構成することもできる。
【００４４】
Ｕ…使用者、
９０…簡易トイレ、
１００…目隠し用コート１００、１０１…コート本体、
１１０…強遮蔽部、１１１…襠（マチ）、１１２…内ポケット、
１２０…弱遮蔽部、１２１…頭部側開口部、１２２…縁部、
１３０…フード。
【図１】
2014065982.tif 000003
【図２】
2014065982.tif 000004
【図３】
2014065982.tif 000005
【図４】
2014065982.tif 000006